(57)【要約】【課題】補強部材の厚みやサイズの増大を伴うことなく、容易に補強部材の剛性の低下を防止できるようにする。【解決手段】リインフォースメント１の本体部１ａの一部に、アウタパネル５１の裏面に向かって突出する形状に屈曲した屈曲部１ｃを形成し、屈曲部１ｃにおける両フランジ部１ｂ，１ｂとアウタパネル５１の裏面との間に接着剤２を塗布し、リインフォースメント１をアウタパネル５１の裏面に接合する。【選択図】図１
2015168366.tif 000002
【特許請求の範囲】
【請求項１】
断面コ字状の本体部の両端に外向きのフランジ部が一体形成されて断面ハット形状を成す補強部材を、車両を構成するパネル部材の裏面に前記両フランジ部が対向するように配置して接着剤により接着する車両用部材の補強構造において、
前記補強部材の前記本体部の少なくとも一部に、前記パネル部材の裏面に向かって突出した形状に屈曲した屈曲部を形成し、
前記屈曲部における前記両フランジ部と前記パネル部材の裏面との間に、前記接着剤が塗布されることを特徴とする車両用部材の補強構造。
【発明の詳細な説明】
【技術分野】
【０００１】
本発明は、断面コ字状の本体部の両端に外向きのフランジ部が一体形成されて断面ハット形状を成す補強部材を、車両を構成するパネル部材の裏面に両フランジ部が対向するように配置して接着剤により接着する車両用部材の補強構造に関する。
【背景技術】
【０００２】
従来、図３に示すように、車両用ドア５０は、アウタパネル５１とインナーパネル５２とが重ねられ、補強用部材である断面ハット形状を有する横長のリインフォースメント５３が、マスチックシーラーなどの接着剤によりアウタパネル５１の裏面に接合されて構成され、ヒンジにより開閉自在に車体に組付けられる。
【０００３】
このとき、接着剤をアウタパネル５１の裏面に点状に複数塗布してリインフォースメント５３の複数個所をこれら点状に塗布した接着剤により接合するほか、例えば特許文献１に記載のように、リインフォースメント５３のほぼ全長にわたりアウタパネル５１の裏面に線状に接着剤を塗布して、リインフォースメント５３のほぼ全長をアウタパネル５１に接合することなどが行われる。
【先行技術文献】
【特許文献】
【０００４】
【特許文献１】特開２００８−１００５４５号公報（段落００１３，００２２および図１、図２参照）
【発明の概要】
【発明が解決しようとする課題】
【０００５】
しかし、従来の車両用ドア５０に使用されるリインフォースメント５３は断面ハット形状を有するが、ドア内の内蔵部品や組付け工程等における工具や治具をドア内部に挿入する際の干渉を回避するために、例えば図４に示すように、リインフォースメント５３は一部においてハット形状の高さが低い箇所５５が形成されたり、工具や治具の挿入孔５６が形成されたり、ハット形状の幅の小さい箇所５７が形成され、リインフォースメント５３の剛性低下の原因となる箇所が、異なる位置に複数形成されることになるため、リインフォースメント５３の剛性が低下するという問題がある。このような剛性不足を補うには、リインフォースメント５３の厚みやサイズを大きくする等の対策が必要になるが、コストの上昇を招くという新たな問題が生じるおそれがある。
【０００６】
ところで、上記したようにリインフォースメント５３に接着剤を線状に塗布すると、点状に塗布する場合よりも接着強度は増大するが、接着剤の塗布の始端と終端にその他の部分によりも量の多い塊のような接着剤のいわゆるダマが生じ、アウタパネル５１にリインフォースメント５３を接合したときに、接着剤の両端のダマが押し潰されることによって上下に盛り上がり、盛り上がった接着剤とアウタパネル５１およびリインフォースメント５３とにより周囲が囲まれた凹部に雨水等が溜まって錆の原因になり易い。
【０００７】
そうすると、防錆の観点からは点状に接着剤を塗布するのが好ましく、このとき図４に示すように、アウタパネル５１に向かって突出した形状に屈曲した屈曲部５９をリインフォースメント５３に形成し、この屈曲部５９のフランジ部分に接着剤を点状に塗布することが考えられるが、ハット形状の高さが低い箇所５５、幅の小さい箇所５７や挿入孔５６の形成位置とは異なる位置に屈曲部５９を形成する必要があるため、リインフォースメント５３の加工金型が複雑になる。
【０００８】
本発明は、補強部材の厚みやサイズの増大を伴うことなく、容易に補強部材の剛性の低下を防止できるようにすることを目的とする。
【課題を解決するための手段】
【０００９】
上記した目的を達成するために、本発明の車両用部材の補強構造は、断面コ字状の本体部の両端に外向きのフランジ部が一体形成されて断面ハット形状を成す補強部材を、車両を構成するパネル部材の裏面に前記両フランジ部が対向するように配置して接着剤により接着する車両用部材の補強構造において、前記補強部材の前記本体部の少なくとも一部に、前記パネル部材の裏面に向かって突出した形状に屈曲した屈曲部を形成し、前記屈曲部における前記両フランジ部と前記パネル部材の裏面との間に、前記接着剤が塗布されることを特徴としている（請求項１）。
【発明の効果】
【００１０】
請求項１に係る発明によれば、補強部材の断面コ字状の本体部の少なくとも一部に、パネル部材の裏面に向かって突出した形状に屈曲した屈曲部が形成され、屈曲部における両フランジ部とパネル部材の裏面との間に接着剤が塗布されるため、屈曲部の位置で接着剤が塗布されることから、従来のように補強部材にハット形状の高さの低い箇所や幅の小さい箇所と違う位置に接着剤を塗布するための屈曲部を形成するなど、剛性低下の原因となる箇所を複数形成する場合のように補強部材の剛性の低下を招くことがなく、剛性向上のために補強部材の厚みやサイズを大きくする必要もなく、補強部材の加工金型も簡単な構造で済み、容易に補強部材の剛性の低下を防止することができる。
【図面の簡単な説明】
【００１１】
【図１】本発明に係る車両用部材の補強構造の一実施形態の一部の斜視図である。
【図２】図１のＡ−Ａ線における断面図である。
【図３】一般の車両用ドアの側面図である。
【図４】図３の一部の斜視図である。
【発明を実施するための形態】
【００１２】
本発明を車両用ドアに適用した一実施形態について、図１および図２を参照して詳細に説明する。なお、以下の説明では図３も参照する。
【００１３】
図３に示すように、インナーパネル５２に重ねられて車両用ドア５０を構成するアウタパネル５１（本発明における「パネル部材」に相当）の裏面（車内側の面）には、補強部材である断面ハット形状を有する横長のリインフォースメントが接合される点は従来構造と同じであるが、本実施形態におけるリインフォースメントの構造が従来と異なる。
【００１４】
詳細には、図１に示すように、リインフォースメント１は、断面コ字状の本体部１ａの両端に外向きのフランジ部１ｂが一体形成されて断面ハット形状を成して形成され、この本体部１ａの一部（１カ所）に、アウタパネル５１の裏面に向かって突出する形状に屈曲した屈曲部１ｃが形成され、屈曲部１ｃにおける両フランジ部１ｂ，１ｂとアウタパネル５１の裏面との間に、マスチックシーラー等の接着剤２が点状に塗布され、リインフォースメント１がアウタパネル５１の裏面に接合されるようになっている。
【００１５】
このとき、屈曲部１ｃは本体部１ａの一部をアウタパネル５１の裏面に向かって突出するように屈曲して段差状に形成されたものであり、屈曲部１ｃではフランジ部１ｂ，１ｂも同様に屈曲されて段差状に形成されているため、図２に示すように、本体部１ａにおけるフランジ部１ｂの高さＨ１と、屈曲部１ｃにおけるフランジ部１ｂから車内方向への高さＨ２とは等しくなっており、屈曲部１ｃにおけるリインフォースメント１の剛性の低下防止が図られている。
【００１６】
また、屈曲部１ｃを１カ所に歯科形成できない場合であっても、屈曲部１ｃのフランジ部１ｂの車両前後方向における長さを大きくすれば、屈曲部１ｃのフランジ部１ｂに塗布する接着剤２の量を多くすることができ、接着強度を上げることができる。
【００１７】
したがって、上記した実施形態によれば、リインフォースメント１の本体部１ａの少なくとも一部に、アウタパネル５１の裏面に向かって突出する形状に屈曲した屈曲部１ｃが形成され、屈曲部１ｃにおける両フランジ部１ｂ，１ｂとアウタパネル５１の裏面との間に接着剤２が塗布されるため、屈曲部１ｃの位置で接着剤２が塗布されることから、リインフォースメント１の剛性低下の原因となる箇所は最低１カ所で従来のように複数箇所に形成されないことから、従来に比べてリインフォースメント１の剛性の低下を招くことを防止でき、剛性向上のためにリインフォースメント１の厚みやサイズを大きくする必要もなく、リインフォースメント１の加工金型も簡単な構造で済み、容易に補強部材の剛性の低下を防止することができる。
【００１８】
なお、本発明は上記した実施形態に限定されるものではなく、その趣旨を逸脱しない限りにおいて上述したもの以外に種々の変更を行なうことが可能である。
【００１９】
例えば、屈曲部１ｃは少なくとも１カ所に形成すればよいが、リインフォースメント１の接合強度の向上を考えると、屈曲部１ｃを２カ所以上に形成するのが望ましい。
【００２０】
また、上記した実施形態では、車両用ドアを構成するアウタパネル５１とリインフォースメント１との接合に適用した例を示したが、本発明の適用範囲はドアに限定されるものではない。
【００２１】
また、上記した実施形態では、接着剤２としてマスチックシーラーを例示したが、接着剤はこれに限るものではないのは勿論である。
【符号の説明】
【００２２】
１    …リインフォースメント（補強部材）
１ａ  …本体部
１ｂ  …フランジ部
１ｃ  …屈曲部
２    …接着剤
５１  …アウタパネル（パネル部材）
【図１】
2015168366.tif 000003
【図２】
2015168366.tif 000004
【図３】
2015168366.tif 000005
【図４】
2015168366.tif 000006